(57)【要約】【課題】盤の裏側から作業を行う場合において、誤って作業対象箇所以外のカバーを取り外してしまうことを防止することが可能な試験用ターミナルを提供する。【解決手段】盤外配線用端子１３と盤内配線用端子１４とが背面に設けられ、前面に設けられたプラグ挿入部１７にテストプラグ２を挿入することで盤外配線用端子１３と盤内配線用端子１４との電気的な接続を遮断するようにしているターミナル本体１５を有し、このターミナル本体１５の背部にターミナル本体の背面を覆う着脱可能なカバー１６が取り付けられている試験用ターミナル１において、テストプラグ２を挿入したことをターミナル本体１５の背後から認識できる認識手段を設ける。【選択図】        図２
2017207411.tif 000002
【特許請求の範囲】
【請求項１】
盤外配線用端子と盤内配線用端子とが背面に設けられ、前面に設けられたプラグ挿入部にテストプラグを挿入することで前記盤外配線用端子と前記盤内配線用端子との電気的な接続を遮断するようにしているターミナル本体を有し、このターミナル本体の背部に前記背面を覆う着脱可能なカバーが取り付けられている試験用ターミナルにおいて、
前記テストプラグを挿入したことを前記ターミナル本体の背後から認識できる認識手段を設けたことを特徴とする試験用ターミナル。
【請求項２】
前記認識手段は、前記テストプラグを挿入した場合にのみ前記カバーを離脱可能とする手段である請求項１記載の試験用ターミナル。
【請求項３】
前記ターミナル本体に前記テストプラグの挿入方向に変位可能なカバー保持用ロッドを設け、このカバー保持用ロッドの先端部に前記カバーに係止可能な係止部を設け、
前記テストプラグが前記プラグ挿入部に挿入されていない場合に、前記カバー保持用ロッドを前記カバーの装着方向に変位させて前記係止部を前記カバーに係止させることで前記カバーの前記ターミナル本体への装着状態を保持し、
前記テストプラグが前記プラグ挿入部に挿入された場合に、前記カバー保持用ロッドを前記カバーの装着方向と逆方向に変位させて、前記係止部の係止状態を解除することで前記カバーの前記ターミナル本体への装着状態の保持を解除するものであることを特徴とする請求項２記載の試験用ターミナル。
【請求項４】
前記認識手段は、前記ターミナル本体に前記テストプラグの挿入方向に変位可能に設けられた認識ロッドを、前記テストプラグが挿入された場合にのみ前記ターミナル本体の背面から突出するものである請求項１記載の試験用ターミナル。
【請求項５】
前記認識ロッドの先端に前記テストプラグが前記プラグ挿入部に挿入されたことを認識させる表示部が設けられていることを特徴とする請求項４記載の試験用ターミナル。
【発明の詳細な説明】
【技術分野】
【０００１】
本発明は、遠隔監視制御装置の試験用端子盤などに設けられている試験用ターミナルに関し、特に作業対象以外のターミナル本体に装着されているカバーを誤って取り外すことを防止するために有用な試験用ターミナルに関する。
【背景技術】
【０００２】
発電所や変電所等の電気所には、制御所の中央制御装置からの制御指令により断路器や遮断機等の制御対象機器を遠隔制御すると共に、計測情報や制御対象機器の表示情報などの状態情報を中央制御装置へ伝送するための遠隔監視制御装置が設けられている。
【０００３】
このような遠隔監視制御装置は、計測架と基本架との２つの架（ラック）、又は、これらが一体になったものに各種装置や機器を収容する構成となっており、図７に示されるように、計測架は、ＣＴ（計器用変流器）やＰＴ（計器用変圧器）等の計器用変成器１０１からの電流信号や電圧信号がケーブルを介して入力される計測用端子台１０２と、計器用変圧器テストターミナル（ＰＴＴターミナル）及び計器用変流器テストターミナル（ＣＴＴターミナル）を含む試験用ターミナルが設けられた試験用端子盤１０３と、計測信号を規定の直流信号に変換するトランスデューサ１０４とを備え、このトランスデューサ１０４で変換された計測信号を基本架へ送るようになっている。
【０００４】
試験用端子盤１０３は、変流器回路及び変圧器回路に組み込まれ、図８に示されるように、テストプラグを挿入可能な試験用ターミナル１が、正面パネルＰに多数設けられているもので、一時的にテストプラグを挿入して電気回路に割り込み、所定の試験や測定を行なうことができるようになっている。
【０００５】
それぞれの試験用ターミナル１は、図９及び図１０に示されるように、プラグ挿入部１７を有するハウジング内に設けられた接点１２と、この接点１２に接続された盤外配線用端子１３と盤内配線用端子１４とを有するターミナル本体１５と、このターミナル本体１５に着脱可能に取り付けられたカバー１６とを備えている。
ターミナル本体１５は、試験用端子盤の正面パネルＰに、プラグ挿入部１７が正面パネルＰの前面に開口するように取り付けられている。
【０００６】
接点１２は、上下一対の可動接触板３１，４１と、その外側に配置された上下一対の固定導体３２，４２と、この固定導体に固着された上下一対の中継導体３３，４３とを備えている。上側の可動接触板４１と上側の中継導体４３は、上側の固定導体４２を介して盤内配線用端子１４に導通しており、下側の可動接触板３１と下側の中継導体３３は、下側の固定導体３２を介して盤外配線用端子１３に導通している。
【０００７】
この試験用ターミナル１は、テストプラグ２が挿入されていない通常時（非試験時）においては、図１０（ａ）に示されるように、上側の中継導体４３が、下側の可動接触板３１に当接し、また、下側の中継導体３３が、上側の可動接触板４１に当接した状態にある。すなわち、盤外配線用端子１３と盤内配線用端子１４とは、固定導体３２，４２、可動接触板３１，４１、中継導体３３，４３を介して導通した状態にあり、したがって盤外側（変流器）と盤内側（過電流継電器等）とは電気的に接続された状態となっている。
【０００８】
テストプラグ２は、絶縁支持体２１と、この絶縁支持体２１の背面側に突出した絶縁板２２と、絶縁板２２に取り付けられ、この絶縁板２２を隔てて互いに絶縁された上側背面端子２３と下側背面端子２４とを備えている。また、テストプラグ２には、絶縁支持体２１の前面側、すなわち、絶縁支持体２１に対して絶縁板２２とは反対側に、プラグ前面端子２５が設けられている。このプラグ前面端子２５は、基端側テスト用端子２５ａと先端側テスト用端子２５ｂを有し、また、絶縁支持体２１の前面側には、先端側テスト用端子２５ｂに他の端子を取り付けて固定するための締付部材２５ｃと、基端側テスト用端子２５ａに他の端子を取り付けて固定するための締付部材２５ｄとが設けられている。
【０００９】
また、絶縁支持体２１の内部において、上側背面端子２３と先端側テスト用端子２５ｂとが互いに電気的に接続され、下側背面端子２４と基端側テスト用端子２５ａとが互いに電気的に接続されている。そして、上側背面端子２３と下側背面端子２４とは、互いに電気的に遮断されており、また、先端側テスト用端子２５ｂと基端側テスト用端子２５ａとは互いに電気的に遮断されている。
【００１０】
したがって、テストプラグ２を試験用ターミナル１に挿入した状態では、上側背面端子２３と下側背面端子２４が上下の可動接触板４１，３１により挟持され、上側の可動接触板４１と下側の中継導体３３とが非接触となり、また、下側の可動接触板３１と上側の中継導体４３とが非接触となる。このため、盤外配線用端子１３と盤内配線用端子１４との導通は遮断され、盤外側（変流器）と盤内側（過電流継電器等）とは電気的に遮断された状態となる。
【００１１】
ターミナル本体１５の背部に設けられるカバー１６は、断面コ字状に形成されているもので、ターミナル本体１５の背面に設けられた盤外配線用端子１３と盤内配線用端子１４とを覆い、それぞれの配線用端子を保護するようにしている。電気系統の切り換えを行う際には、このカバー１６を外して配線（盤外配線３や盤内配線４）を接続し直す作業を行うようにしている。
【００１２】
このような試験用ターミナル１を備えた試験用端子盤において、バンク逆潮流対策工事等に伴い遠隔監視制御装置の計測回路を改造（回路変更）する場合には，盤内の配線を変更する必要がある。配線変更する際には、作業時に感電しないように盤内に通電されない状態で作業する必要があるので、作業対象回路を通電なしの状態とするために、計測回路に取り付けているＣＴ・ＰＴ回路に組み込まれた試験用ターミナルにテストプラグを挿入し，盤内と盤外との回路を切り離すようにしている。
従来において、このような切り離し作業は，テストプラグを挿入した試験用ターミナルの箇所を盤前面で確認し，その後、盤裏に回ってその箇所を確認してカバーを外し、配線を切り離す前には，クランプメータやテスターで通電されていない状態を再度確認し、非通電状態であることの確証を得た後に配線の切り離しを行っている。
【先行技術文献】
【特許文献】
【００１３】
【特許文献１】特開２０１１−１７９９８８号公報
【発明の概要】
【発明が解決しようとする課題】
【００１４】
このように、試験用プラグの挿入は盤前面で行い、配線変更は，盤裏面にある試験用ターミナルの端子に接続された配線を取り外しての作業となるが、試験用端子盤に取付けられている試験用ターミナルは前述の如く多数あることから、盤裏からどこの試験用ターミナルにテストプラグが挿入されているかどうかは一目では分からない現状となっており、盤裏で配線を取り外す際に，誤って別の充電中回路を切り離して感電する恐れがあった。このような不都合は、遠隔監視制御装置だけでなく、同様の試験用ターミナルを複数備えた他の盤においても同様に生じ得るものである。
【００１５】
本発明は係る事情に鑑みてなされたものであり、裏側から作業を行う場合において、誤って作業対象箇所以外の充電回路を切り離してしまうことを防止することが可能な試験用ターミナルを提供することを主たる課題としている。
【課題を解決するための手段】
【００１６】
上記課題を達成するために、本発明に係る試験用ターミナルは、盤外配線用端子と盤内配線用端子とが背面に設けられ、前面に設けられたプラグ挿入部にテストプラグを挿入することで前記盤外配線用端子と前記盤内配線用端子との電気的な接続を遮断するようにしているターミナル本体を有し、このターミナル本体の背部に前記背面を覆う着脱可能なカバーが取り付けられている試験用ターミナルであって、前記テストプラグを挿入したことを前記ターミナル本体の背後から認識できる認識手段を設けたことを特徴としている。
【００１７】
したがって、テストプラグが挿入されているターミナル本体は、認識手段により、背後からテストプラグが挿入したことを認識することが可能となるので、作業者は、テストプラグが挿入されたターミナル本体であることを認識した上でカバーを取り外すことが可能となり、作業対象箇所以外のカバーを取り外すことを避けることができるので、作業対象箇所以外の充電回路を切り離す不都合がなくなる。
【００１８】
ここで、認識手段は、前記テストプラグを挿入した場合にのみ前記カバーを離脱可能とするものであってもよい。
このような構成とすれば、テストプラグが挿入されていない試験用ターミナルでは、カバーを外そうとしても離脱することができないので、作業者はカバーが外せないことを認識することでテストプラグがまだ装着されていないことを認識することが可能となる。
【００１９】
より具体的には、前記ターミナル本体に前記テストプラグの挿入方向に変位可能なカバー保持用ロッドを設け、このカバー保持用ロッドの先端部に前記カバーに係止可能な係止部を設け、前記テストプラグが前記プラグ挿入部に挿入されていない場合に、前記カバー保持用ロッドを前記カバーの装着方向に変位させて前記係止部を前記カバーに係止させることで前記カバーの前記ターミナル本体への装着状態を保持し、前記テストプラグが前記プラグ挿入部に挿入された場合に、前記カバー保持用ロッドを前記カバーの装着方向と逆方向に変位させて、前記係止部の係止状態を解除することで前記カバーの前記ターミナル本体への装着状態の保持を解除するものであってもよい。
【００２０】
また、認識手段は、前記ターミナル本体に前記テストプラグの挿入方向に変位可能に設けられた認識ロッドを、前記テストプラグが挿入された場合にのみ前記ターミナル本体の背面から突出させるものであってもよい。
このような構成によれば、テストプラグが挿入されている試験用ターミナルは、背部から認識ロッドが突出するので、盤の裏側から試験用ターミナルを目視した場合に、テストプラグが挿入されている試験用ターミナルを一目で確認することが可能となり、作業対象箇所のカバーを外すことが可能となる。
ここで、前記認識ロッドの先端には、前記テストプラグが前記プラグ挿入部に挿入されたことを認識させる表示部を設けるようにしてもよい。
【発明の効果】
【００２１】
以上述べたように、本発明に係る試験用ターミナルによれば、作業者は、試験用ターミナルの前面からテストプラグを挿入し、背後に回ってカバーを取り外して回路変更の作業を行なう場合においても、作業者は、テストプラグが挿入したターミナル本体であることを試験用ターミナルの背後で認識した上でカバーを取り外すことが可能となるので、誤って作業対象箇所以外のカバーを取り外してしまう不都合を防止することが可能となる。
このため、試験用ターミナルの背後で配線を取り外す等の作業を行なう場合に、誤って別の充電中の回路を切り離して感電する恐れを無くすことが可能となる。
【図面の簡単な説明】
【００２２】
【図１】図１は、本発明に係る試験用ターミナルを示す図であり、（ａ）はターミナル本体の背部にカバーが取付けられている状態を示す平面図、（ｂ）はターミナル本体の背部にカバーが取付けられている状態を示す側面図、（ｃ）はカバーの斜視図である。
【図２】図２は、図１（ａ）のＡ−Ａ断面図であり、図２（ａ）は、本発明に係る試験用ターミナルにテストプラグを挿入する前の状態を示す断面図、図２（ｂ）は、本発明に係る試験用ターミナルにテストプラグを挿入した状態を示す断面図である。
【図３】図３は、本発明に係る試験用ターミナルにテストプラグを挿入した後に、カバーを外す工程を示す図であり、（ａ）は、カバーを背後に引いた状態を示す図、（ｂ）は、カバーをカバー保持用ロッドから外す過程を示す図である。
【図４】図４は、本発明に係る試験用ターミナルの他の形態を示す図であり、（ａ）は、試験用ターミナルにテストプラグを挿入する前の状態であって、認識ロッドがターミナル内に収容されている状態を示す断面図、（ｂ）は、試験用ターミナルにテストプラグを挿入した状態であって、認識ロッドがターミナルの背面から突出している状態を示す断面図である。
【図５】図５は、図４で示した試験用ターミナルの変形例であって、認識ロッドのカバー側の端部（先端部）に表示部を設けた例であり、（ａ）は、試験用ターミナルにテストプラグを挿入する前の状態を示し、（ｂ）は、試験用ターミナルにテストプラグを挿入した状態を示す断面図である。
【図６】図６は、図５で示した試験用ターミナルを示す図であり、(ａ)は、認識ロッドの端部（先端部）に設けられた表示部の表示例を示す図であり、（ｂ）は、試験用ターミナルにテストプラグを挿入した後に、カバーを背後に引いた状態を示す図、（ｃ）は、カバーを回転させて認識ロッドから外す過程を示す図である。
【図７】図７は、遠隔監視制御装置の概要を説明するブロック図である。
【図８】図８は、試験用端子盤に設けられた多数の試験用ターミナルの設置状態例を示す図であり、（ａ）は、前面から見た斜視図、（ｂ）は、背面から見た斜視図である。
【図９】図９は、従来の試験用ターミナルを示す図であり、（ａ）はターミナル本体の背部にカバーが取付けられている状態を示す平面図、（ｂ）はターミナル本体の背部にカバーが取付けられている状態を示す側面図、（ｃ）はカバーの斜視図である。
【図１０】図１０は、図９（ａ）のＢ−Ｂ断面図であり、図１０（ａ）は、従来の試験用ターミナルにテストプラグを挿入する前の状態を示す断面図、図１０（ｂ）は、従来の試験用ターミナルにテストプラグを挿入した状態を示す断面図である。
【発明を実施するための形態】
【００２３】
以下、この発明に係る試験用ターミナルの実施形態を添付図面を参照しながら説明する。
【００２４】
図１及び図２において、試験用端子盤の正面パネルＰに設けられた試験用ターミナル１と、この試験用ターミナル１に装着されるテストプラグ２とが示されている。ここで用いられる試験用ターミナル１は、プラグ挿入部を有する直方体状のハウジング１１と、このハウジング内に設けられた接点１２と、この接点１２に接続されると共に、盤外側（変流器）に盤外配線３を介して接続された盤外配線用端子１３、及び、盤内側（過電流継電器等）に盤内配線４を介して接続された盤内配線用端子１４を有するターミナル本体１５と、このターミナル本体１５（ハウジング１１）に着脱可能に取り付けられたカバー１６とを有して構成されている。
【００２５】
ハウジング１１は、内部に接点収容空間５が形成され、後方が開放されたハウジング本体１１ａと、このハウジング本体１１ａの後方を閉塞し、盤外配線用端子１３と盤内配線用端子１４とが設けられた端子装着ブロック１１ｂとを有して構成されているもので、ハウジング本体１１ａの前面にテストプラグ２を挿入するプラグ挿入部１７が形成されている。したがって、盤外配線用端子１３と盤内配線用端子１４は、ターミナル本体１５（ハウジング１１）の背面に設けられ、プラグ挿入部１７は、ターミナル本体１５（ハウジング１１）の前面に設けられている。
【００２６】
このターミナル本体１５（ハウジング１１）は、正面パネルＰをハウジング１１と前板６との間に挟み込み、前板６の角部をネジ７によって正面パネルＰを介してハウジング１１にねじ止めすることで正面パネルＰに固定され、プラグ挿入部１７が正面パネルＰ及び前板６の通孔Ｐａ，６ａを介して前面に開口されるように取り付けられている。
【００２７】
接点１２は、接点収容空間に配された上下一対の可動接触板３１，４１と、この可動接触板３１，４１の前端部が固着し、この可動接触板の外側に配置されて接点収容空間５の内壁に沿って配された上下一対の固定導体３２，４２と、可動接触板３１，４１の後部において固定導体に３２，４２固着された上下一対の中継導体３３，４３とを備えている。上側の可動接触板４１と上側の中継導体４３は、上側の固定導体４２を介して、ターミナル本体１５の上側に設けられた盤内配線用端子１４に導通しており、下側の可動接触板３１と下側の中継導体３３は、下側の固定導体３２を介して、ターミナル本体１５の下側に設けられた盤外配線用端子１３に導通している。
【００２８】
これら接点１２や盤外配線用端子１３および盤内配線用端子１４は、２極用の試験用ターミナルであれば、２組設けられ、４極用の試験用ターミナルであれば、４組設けられる（この例では、２極用の試験用ターミナルが示されている）。
【００２９】
この試験用ターミナル１は、テストプラグ２が挿入されていない通常時（非試験時）においては、図２（ａ）に示されるように、上側の中継導体４３は、下側の可動接触板３１に当接し、また、下側の中継導体３３は、上側の可動接触板４１に当接した状態にある。すなわち、盤外配線用端子１３と盤内配線用端子１４とは、固定導体３２，４２、可動接触板３１，４１、中継導体３３，４３を介して導通した状態であり、したがって盤外側（変流器）と盤内側（過電流継電器等）とは電気的に接続された状態となっている。
【００３０】
また、ターミナル本体１５の背部に設けられるカバー１６は、断面コ字状に形成されているもので、例えば、ターミナル本体１５（ハウジング１１）の両側面に形成された突起１８にカバー１６の両端部に設けられたスリット１６ａを篏合させることにより所定箇所に位置決めされて取り付けられ、ターミナル本体１５（ハウジング１１）の背面に設けられた盤外配線用端子１３と盤内配線用端子１４とを覆い、それぞれのターミナル端子を保護するようにしている。また、カバー１６の略中央には、後述するカバー保持用ロッドの端部を挿通させるための通孔１６ｂが形成されている。
【００３１】
テストプラグ２は、従来の構成と同様であり、絶縁支持体２１と、この絶縁支持体２１の背面側に突出した絶縁板２２と、絶縁板２２に取り付けられ、この絶縁板２２を隔てて互いに絶縁された上側背面端子２３と下側背面端子２４とを備えている。また、テストプラグ２には、絶縁支持体２１の前面側、すなわち、絶縁支持体２１に対して絶縁板２２とは反対側には、プラグ前面端子２５が設けられている。このプラグ前面端子２５は、基端側テスト用端子２５ａと先端側テスト用端子２５ｂを有し、また、絶縁支持体２１の前面側には、先端側テスト用端子２５ｂに他の端子を取り付けて固定するための締付部材２５ｃと、基端側テスト用端子２５ａに他の端子を取り付けて固定するための締付部材２５ｄとが設けられている。
【００３２】
また、絶縁支持体２１の内部において、上側背面端子２３と先端側テスト用端子２５ｂとが互いに電気的に接続され、下側背面端子２４と基端側テスト用端子２５ａとが互いに電気的に接続されている。そして、上側背面端子２３と下側背面端子２４とは、互いに電気的に遮断されており、また、先端側テスト用端子２５ｂと基端側テスト用端子２５ａとは、互いに電気的に遮断されている。
【００３３】
このような試験用ターミナル１において、接点収容空間５には、後述するテストプラグ２の挿入方向に移動可能なカバー保持用ロッド５０が配置されている。このカバー保持用ロッド５０は、一端が端子装着ブロック１１ｂを貫通してターミナル本体１５の外部に突出し、他端がターミナル本体１５に挿入されるテストプラグ２の先端と対峙し、当接可能となっている。すなわち、カバー保持用ロッド５０は、その軸線がテストプラグ２の絶縁板２２の軸線と一致し、例えば、ターミナル本体１５の中央に設けられ（２極用の試験用ターミナルであれば、一方の対をなす可動接点板と他方の対をなす可動設定板との間に設けられ）、側方から見た場合に、上下一対の可動接触板３１，４１の間の高さに配置されている。
【００３４】
また、カバー保持用ロッド５０の接点収容空間５内に位置している箇所には、スプリング受け５１が形成され、このスプリング受け５１と端子装着ブロック１１ｂとの間には、戻りバネ５２が弾装されている。これにより、カバー保持用ロッド５０は、戻りバネ５２により、プラグ挿入部側へ常時付勢されている。
【００３５】
また、このカバー保持用ロッド５０の外部に突出した端部には、係止部としての保持用突起５３がロッドの径方向に突設されている。この保持用突起５３は、カバー保持用ロッド５０からの径方向の突出量が、ロッドの直径と合わせてカバー１６に設けられた通孔１６ｂの直径より僅かに小さくなるように設定されている。
【００３６】
このカバー保持用ロッド５０の長さは、カバー１６の通孔１６ｂに保持用突起５３を挿通させた状態でカバー１６をターミナル本体１５に装着させた場合において、戻りバネ５２のばね力で保持用突起５３がカバー１６の通孔周縁に係止され、カバー１６の装着状態を保持することができると共に、テストプラグ２が試験用ターミナル１に装着されて、カバー保持用ロッドが戻りバネ５２のバネ力に抗して後方へ押し出された場合に、カバー保持用ロッド５０の保持用突起５３がカバー１６から大きく離れるように設定されている。
【００３７】
したがって、以上の構成において、テストプラグ２を試験用ターミナル１に挿入すると、図２（ｂ）に示されるように、上側背面端子２３と下側背面端子２４とが上下の可動接触板４１，３１に当接して互いの可動接触板の間隔を押し広げ、上側の可動接触板４１と下側の中継導体３３とが非接触となり、また、下側の可動接触板３１と上側の中継導体４３とが非接触となる。このため、盤外配線用端子１３と盤内配線用端子１４との導通は遮断され、盤外側（変流器）と盤内側（過電流継電器等）とは電気的に遮断された状態となる。
【００３８】
それと同時に、テストプラグ２の絶縁板２２がカバー保持用ロッド５０に当接し、戻りバネ５２に抗してカバー保持用ロッド５０を押し動かし、カバー１６から大きく突出させて保持用突起５３をカバー１６の通孔１６ｂの周縁から離反させる。すなわち、カバー保持用ロッド５０をカバー１６の装着方向と逆方向に変位させて、保持用突起５３の係止状態を解除することでカバー１６のターミナル本体１５への装着状態の保持を解除する。
【００３９】
これにより、カバー１６は手でもって後方へ容易に外せる状態となり、この際、戻りバネ５２の付勢力によってカバー１６が押し戻されるような感触を感じることがなくなることから、テストプラグ２が装着されて通電状態が遮断されており、カバー１６を外しても問題がない状態であることを認識することが可能となる。
【００４０】
そして、作業者は、カバー１６を外しても問題がない試験用ターミナル１であることを認識した後に、図３（ａ）に示されるように、カバー１６を後方へ移動させ、その後、図３（ｂ）に示されるように、保持用突起５３を通孔１６ｂを通すようにカバー１６を持ち上げつつ後方へ動かすことで、カバー保持用ロッド５０から外すことができ、露出した盤内配線用端子１４や盤外配線用端子１３にアクセスして、適宜、計測回路を変更することが可能となる。
【００４１】
したがって、試験用ターミナル１の前面からテストプラグ２を挿入し、背後に回ってカバー１６を取り外す作業を行なう場合においても、作業者は、テストプラグ２が挿入されている試験用ターミナル１であることを試験用端子盤の背後において認識した上でカバー１６を取り外すことが可能となるので、誤って作業対象箇所以外のカバーを取り外してしまう不都合を回避でき、誤って別の充電中の回路を切り離して感電する恐れを無くすことが可能となる
【００４２】
図４において、試験用ターミナル１の他の実施形態が示されている。
この例では、前記カバー保持用ロッド５０の代わりに、先端部に突起がない認識ロッド６０が設けられている。この認識ロッド６０は、カバー１６をターミナル本体１５に装着した状態で、且つ、テストプラグ２が試験用ターミナル１に装着されていない状態においては、戻しバネ５２により認識ロッド６０をプラグ挿入部側へ変位させ、図４（ａ）に示されるように、カバー１６の通孔１６ｂから突出しない状態となっており、カバー１６がターミナル本体１５に装着した状態で、テストプラグ２が試験用ターミナル１に装着された場合には、図４（ｂ）に示されるように、認識ロッド６０がカバー１６の通孔１６ｂから突出した状態となる。
なお、他の構成は、前記実施形態と同様であるので、同一個所に同一符号を付して説明を省略する。
【００４３】
このような場合には、テストプラグ２が試験用ターミナル１に装着されていない場合には、認識ロッド６０がカバー１６の通孔１６ｂから突出せず、テストプラグ２を試験用ターミナル１に装着した場合にのみ、図４（ｂ）に示されるように、認識ロッド６０がテストプラグ２の絶縁板２２に当接して、戻しバネ５２のバネ力に抗して押し動かされ、その先端部がカバー１６の通孔１６ｂから突出した状態となるので、作業者は、試験用端子盤の背後に回ってカバーを外す際に、認識ロッドが突出していることを確認した上でカバーを外せばいいので、盤の裏側から試験用ターミナルを目視した場合に、テストプラグが挿入されている試験用ターミナルを目視で確認した上でカバーを外すことが可能となる。よって、このような構成においても、誤って作業対象箇所以外のカバーを取り外してしまう不都合を回避でき、誤って別の充電中の回路を切り離して感電する恐れを無くすことが可能となる
【００４４】
図５において、図４の構成の変形例が示されている。
この例では、認識ロッド６０は、カバー１６の通孔１６ｂを常時挿通した状態にあり、この認識ロッド６０の先端に、テストプラグ２がプラグ挿入部１７に挿入されたことを認識させる表示部６１を設けるようにしたものである。
【００４５】
表示部６１としては、例えば、認識ロッドの先端にフランジ状の表示板を設け、この表示板の表面に、例えば、図６（ａ）に示されるように、テストプラグが挿入中は飛び出す旨を表記させておくものであってもよい。
【００４６】
このような構成においては、テストプラグ２が試験用ターミナル１に装着された場合にのみ、表示部６１が突出するので、対象とする試験用ターミナルを迅速に特定しやすくなる。
ここで、カバー１６を認識ロッド６０から外すために、カバー１６を回転させるような構成としてもよい。すなわち、表示部６１の外形形状を円形以外の形状とし、この表示部６１に合わせた大きさの通孔１６ｂをカバー１６に設けておくとよい。このような構成とすることで、テストプラグ２を試験用ターミナル１に装着すると、カバー１６は後方へ変位させることでスリット１６ａと突起１８との篏合状態を解除できるようになるが、その後に、カバー１６を回転させて通孔１６ｂの向きを表示部６１の形状の向きに合わせるように回転させなければ外すことができないので、作業者の確認喚起を向上させると共に、図３で示すような、カバー保持用ロッドの機能も併せ持たせることが可能となり、テストプラグ２が試験用ターミナル１に装着されていない状態では、カバー１６を外すことができないものとなる。
【００４７】
なお、以上の構成においては、２極用の試験用ターミナルについて説明したが、４極用やそれ以上の極数の試験用ターミナルにおいても、同様の構成を採用してもよい。また、上述の構成は、遠隔監視制御装置の試験用端子盤に用いる試験用ターミナルとして好適なものであるが、遠隔監視制御装置に限らず、試験用ターミナルを複数備える他の盤に同様の構成を採用しても、同様の作用効果を得ることが可能である。
【符号の説明】
【００４８】
１  試験用ターミナル
２  テストプラグ
１３  盤外配線用端子
１４  盤内配線用端子
１７  プラグ挿入部
１５  ターミナル本体
１６  カバー
５０  カバー保持用ロッド
５３  保持用突起
６０  認識ロッド
６１  表示部
【図１】
2017207411.tif 000003
【図２】
2017207411.tif 000004
【図３】
2017207411.tif 000005
【図４】
2017207411.tif 000006
【図５】
2017207411.tif 000007
【図６】
2017207411.tif 000008
【図７】
2017207411.tif 000009
【図８】
2017207411.tif 000010
【図９】
2017207411.tif 000011
【図１０】
2017207411.tif 000012